【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
複数の画像を取得する取得手段と、
前記取得した複数の画像を複数のグループに分割する分割手段と、
処理対象のグループに用いられるテンプレートを決定する決定手段と、
前記決定手段で決定したテンプレートを用いて、前記処理対象のグループに含まれる画像をレイアウトするレイアウト手段と、
を備え、
前記決定手段は、前記処理対象のグループに含まれる画像が１つの画像のみの場合、前記処理対象のグループに用いられるテンプレートとして、第１のスロットと、前記第１のスロットの一部に重なる第２のスロットと、を備える第１のテンプレートを決定し、
前記レイアウト手段により前記第１のスロットに配置される画像と前記第２のスロットに配置される画像とは、前記１つの画像に基づく画像であることを特徴とする画像処理装置。
【請求項２】
前記第１のテンプレートは、前記第１のスロットに配置される画像のサイズが、前記第２のスロットに配置される画像のサイズよりも大きいテンプレートであることを特徴とする請求項１に記載の画像処理装置。
【請求項３】
前記分割手段は、見開きページの数を基に、前記複数の画像を複数のグループに分割し、
前記決定手段は、前記処理対象のグループに用いられる処理対象の見開きページのテンプレートを決定することを特徴とする請求項１または２に記載の画像処理装置。
【請求項４】
前記レイアウト手段によってレイアウトされた画像の解像度が所定の閾値に満たない場合、メッセージを通知する通知手段と、
前記決定手段で決定したテンプレートに応じて前記閾値を変える閾値変更手段と、をさらに備えることを特徴とする請求項１から３のいずれか一項に記載の画像処理装置。
【請求項５】
前記処理対象のグループに含まれる画像が１つの画像のみの場合、前記第１のスロットに配置される画像のジャギーを抑制する画像加工処理をする加工手段をさらに備えることを特徴とする請求項１から４のいずれか一項に記載の画像処理装置。
【請求項６】
前記加工手段で行われる画像加工処理の種類は、前記決定手段で決定したテンプレートにおいて指定されていることを特徴とする請求項５に記載の画像処理装置。
【請求項７】
前記加工手段は、前記第１のスロットに配置される画像の解像度に応じて、前記加工手段で行われる画像加工処理の種類または画像加工処理の強度を変更することを特徴とする請求項５に記載の画像処理装置。
【請求項８】
前記加工手段は、ボカシ処理、グラデーションマスク処理、透過処理、線画加工処理、およびハーフトーン処理の少なくとも１つを含む画像加工処理を行うことを特徴とする請求項６または７に記載の画像処理装置。
【請求項９】
前記第１のスロットに配置される画像は、前記取得手段で取得された画像が拡大された画像であることを特徴とする請求項１から８のいずれか一項に記載の画像処理装置。
【請求項１０】
前記決定手段は、前記処理対象のグループに含まれる画像が、２つ以上である場合、前記処理対象のグループに用いられるテンプレートを、前記処理対象のグループ内の画像が重複して配置されない第２のテンプレートに決定することを特徴とする請求項１から９のいずれか一項に記載の画像処理装置。
【請求項１１】
前記レイアウト手段によってレイアウトされた画像の解像度が所定の閾値に満たない場合、メッセージを通知する通知手段をさらに備え、
前記決定手段は、
前記処理対象のグループに含まれる画像が１つの画像のみであり、かつ、前記１つの画像が１つのスロットに配置されるテンプレートを用いた場合の画像の解像度が前記閾値に満たない場合、
前記処理対象のグループに用いられるテンプレートを、前記第１のテンプレートに決定することを特徴とする請求項１から３のいずれか一項に記載の画像処理装置。
【請求項１２】
コンピュータを、
複数の画像を取得する取得手段と、
前記取得した複数の画像を複数のグループに分割する分割手段と、
処理対象のグループに用いられるテンプレートを決定する決定手段と、
前記決定手段で決定したテンプレートを用いて、前記処理対象のグループの画像をレイアウトするレイアウト手段と、
として機能させるプログラムであって、
前記決定手段は、前記処理対象のグループに含まれる画像が１つの画像のみの場合、前記処理対象のグループに用いられるテンプレートとして、第１のスロットと、前記第１のスロットの一部に重なる第２のスロットと、を備える第１のテンプレートを決定し、
前記レイアウト手段により前記第１のスロットに配置される画像と前記第２のスロットに配置される画像とは、前記１つの画像に基づく画像であることを特徴とするプログラム。
【請求項１３】
前記第１のテンプレートは、前記第１のスロットに配置される画像のサイズが、前記第２のスロットに配置される画像のサイズよりも大きいテンプレートであることを特徴とする請求項１２に記載のプログラム。
【請求項１４】
前記分割手段は、見開きページの数を基に、前記複数の画像を複数のグループに分割し、
前記決定手段は、前記処理対象のグループに用いられる処理対象の見開きページのテンプレートを決定することを特徴とする請求項１２または１３に記載のプログラム。
【請求項１５】
前記コンピュータを、
前記レイアウト手段によってレイアウトされた画像の解像度が所定の閾値に満たない場合、メッセージを通知する通知手段と、
前記決定手段で決定したテンプレートに応じて前記閾値を変える閾値変更手段と、としてさらに機能させることを特徴とする請求項１２から１４のいずれか一項に記載のプログラム。
【請求項１６】
前記コンピュータを、
前記処理対象のグループに含まれる画像が１つの画像のみの場合、前記第１のスロットに配置される画像のジャギーを抑制する画像加工処理をする加工手段としてさらに機能させることを特徴とする請求項１２から１５のいずれか一項に記載のプログラム。
【請求項１７】
前記加工手段で行われる画像加工処理の種類は、前記決定手段で決定したテンプレートにおいて指定されていることを特徴とする請求項１６に記載のプログラム。
【請求項１８】
前記加工手段は、前記第１のスロットに配置される画像の解像度に応じて、前記加工手段で行われる画像加工処理の種類または画像加工処理の強度を変更することを特徴とする請求項１６に記載のプログラム。
【請求項１９】
前記加工手段は、ボカシ処理、グラデーションマスク処理、透過処理、線画加工処理、およびハーフトーン処理の少なくとも１つを含む画像加工処理を行うことを特徴とする請求項１７または１８に記載のプログラム。
【請求項２０】
前記第１のスロットに配置される画像は、前記取得手段で取得された画像が拡大された画像であることを特徴とする請求項１２から１９のいずれか一項に記載のプログラム。
【請求項２１】
前記決定手段は、前記処理対象のグループに含まれる画像が、２つ以上である場合、前記処理対象のグループに用いられるテンプレートを、前記処理対象のグループ内の画像が重複して配置されない第２のテンプレートに決定することを特徴とする請求項１２から２０のいずれか一項に記載のプログラム。
【請求項２２】
前記レイアウト手段によってレイアウトされた画像の解像度が所定の閾値に満たない場合、メッセージを通知する通知手段をさらに備え、
前記決定手段は、
前記処理対象のグループに含まれる画像が１つの画像のみであり、かつ、前記１つの画像が１つのスロットに配置されるテンプレートを用いた場合の画像の解像度が前記閾値に満たない場合、
前記処理対象のグループに用いられるテンプレートを、前記第１のテンプレートに決定することを特徴とする請求項１２から１４のいずれか一項に記載のプログラム。
【請求項２３】
複数の画像を取得する取得ステップと、
前記取得した複数の画像を複数のグループに分割する分割ステップと、
処理対象のグループに用いられるテンプレートを決定する決定ステップと、
前記決定ステップで決定したテンプレートを用いて、前記処理対象のグループに含まれる画像をレイアウトするレイアウトステップと、
を有し、
前記決定ステップは、前記処理対象のグループに含まれる画像が１つの画像のみの場合、前記処理対象のグループに用いられるテンプレートとして、第１のスロットと、前記第１のスロットの一部に重なる第２のスロットと、を備える第１のテンプレートを決定し、
前記レイアウトステップにより前記第１のスロットに配置される画像と前記第２のスロットに配置される画像とは、前記１つの画像に基づく画像であることを特徴とする画像処理方法。
【手続補正２】
【補正対象書類名】明細書
【補正対象項目名】０００６
【補正方法】変更
【補正の内容】
【０００６】
本発明の一態様に係る画像処理装置は、複数の画像を取得する取得手段と、前記取得した複数の画像を複数のグループに分割する分割手段と、処理対象のグループに用いられるテンプレートを決定する決定手段と、前記決定手段で決定したテンプレートを用いて、前記処理対象のグループに含まれる画像をレイアウトするレイアウト手段と、を備え、前記決定手段は、前記処理対象のグループに含まれる画像が１つの画像のみの場合、前記処理対象のグループに用いられるテンプレートとして、第１のスロットと、前記第１のスロットの一部に重なる第２のスロットと、を備える第１のテンプレートを決定し、前記レイアウト手段により前記第１のスロットに配置される画像と前記第２のスロットに配置される画像とは、前記１つの画像に基づく画像であることを特徴とする。